Podtech/llm-jp-corpus-v4-ja_patent huggingface dataset:
(57)【要約】      （修正有）【課題】大型のメインディスプレイを化粧鏡として便利に機能させる。【解決手段】高性能なＩＮカメラと大型のメインディスプレイを最新のデジタルカメラ技術で、ＩＮカメラにより撮影された顔全体の画像、目、鼻、唇などのズーム画像をメインディスプレイに表示して化粧鏡として機能させる。【選択図】図２
2013012803.tif 000002
【特許請求の範囲】
【請求項１】
最新のデジタルカメラの機能を携帯に組み込みOUT用のカメラと高性能のIN用のカメラを備え使用目的によりカメラを切り替え両方のカメラの間で最新のデジタルカメラの機能を共有する事によりINカメラにより映し出されるメインディスプレイ上の画像を化粧鏡として機能させる。携帯電話のINカメラと大型メインディスプレイを自分専用のモニター画面として利用このモニター画面に映った目、鼻、唇の画像倍率を上げることにより細かなタッチの化粧が可能な化粧鏡として使う、    
【発明の詳細な説明】
【技術分野】
【０００１】
本発明は、最新のデジタルカメラの機能を携帯に組み込みINカメラにより映し出されるメインディスプレイのモニター画面を化粧鏡として機能させる
【背景技術】
【０００２】
本発明の場合、毎日毎日携帯とにらめっこをしながら自転車に乗ったり、歩いている、女子、電車の車内、運転中の自動車、どこでも化粧している女子、この二つがダブって見えて、携帯で自分の顔を映して化粧をしたらと思って本発明を思いつきました、
【０００３】
発明を実施するためには、最新のデジカメの技術を取り入れて、手ブレ防止機能やピント合わせ、ズーム機構などの特徴を取り入れてINカメラの高性能化と大型メインディスプレイを化粧鏡として機能させる、
【０００４】
OUT用のカメラとIN用のカメラを備え使用目的によりカメラを切り替え両方のカメラの間でデジタルカメラの機能を共有する事により携帯電話のINカメラとメインディスプレイを利用して自分専用のズームアップ自在のモニター画面、化粧鏡として便利に機能させることを目的とする
【０００５】
従来の低解像度のINカメラを高性能化し解像度を上げ、３倍ないし５倍程度のズーム機能に対応できるようにし、目標設定機能を同時に設定して、目や唇などの部分を目標に設定しズームアップしてメインディスプレイに映し出し、マスカラ、口紅などの化粧をしやすくし、大型のメインディスプレイを縦や横に利用して、化粧鏡として便利に機能させる
【先行技術文献】
【特許文献】
【０００６】
【特許文献１】特許２００５−１６７３２２
【発明の概要】
【発明が解決しようとする課題】
【０００７】
解決しようとする問題点は、携帯電話の小さなサブディスプレイを普通の鏡として、化粧鏡に利用するため機能性にある問題点を解決する、
【課題を解決するための手段】
【０００８】
本発明は、従来の携帯電話の小さなサブディスプレイを普通の鏡として、化粧鏡に利用するという機能から。大型のメインディスプレイを化粧鏡として便利に機能させることにある、
【０００９】
最新のデジタルカメラの機能を携帯に組み込みOUT用のカメラとIN用のカメラを備え、使用目的によりカメラを切り替え両方のカメラの間でデジタルカメラの機能を共有する事により、高性能のINカメラにより映し出されるメインディスプレイの画像を化粧鏡として機能させる、
【００１０】
携帯電話のINカメラとメインディスプレイを利用して自分専用のズームアップ自在のモニター画面を化粧鏡として便利に機能させる
【００１１】
本発明は、携帯の本来のカメラとINカメラを切り替え式にして、本来のカメラ機能をINカメラでそのまま利用、INカメラと大型のメインディスプレイを利用して、最近のデジカメの機能を利用して、手ブレ、顔ブレ、ズームアップに対応する化粧鏡として機能させ、目の周りや唇などの重点的に化粧する場所を目標設定し、アップで取り込み、大型のメインディスプレイに映し出し細かな化粧に対応する
【発明の効果】
【００１２】
女子は化粧鏡と携帯電話を両方持ち歩き荷物が多い、本発明の場合、携帯電話が化粧鏡の機能も同時に持つので荷物が減る
【図面の簡単な説明】
【００１３】
【図１】顔全体の写ったモニター画面
【図２】目だけズームアップしたモニター画面
【発明を実施するための形態】
【００１４】
携帯電話の大型メインディスプレイを自分専用の化粧時のモニター画面として利用、モニター画面に映った目、鼻、唇をズームアップすることにより、細かなタッチの化粧が簡単にできる化粧鏡になる、また携帯電話の通信機能を利用し化粧しているところをネットに繋いで友達と相互にチェックする
【図１】
2013012803.tif 000003
【図２】
2013012803.tif 000004
(57)【要約】【課題】使用に便利な電磁波シールド材を提供する。【解決手段】電磁波シールド材は、柔軟性を持ち、且つ電磁遮蔽性を持つ材料によって成形された基材層と、前記基材層に埋め込まれ、且つ複数の金属線を交差して編んだ網状である金属線網と、を備えることを特徴とする。前記金属線網の何れか平行して隣り合う二つの金属線間の距離は、電磁波の波長の１／２倍より小さい、或いは同じであり、前記金属線網の相対する両側に設置された金属線の直径は、前記金属線網の相対する両側辺のアース線の直径より小さい。【選択図】図１
2013012738.tif 000002
【特許請求の範囲】
【請求項１】
柔軟性を持ち、且つ電磁遮蔽性を持つ材料によって成形された基材層と、
前記基材層に埋め込まれ、且つ複数の金属線を交差して編んだ網状である金属線網と、を備えることを特徴とする電磁波シールド材。
【請求項２】
前記金属線網の何れか平行して隣り合う二つの金属線間の距離は、電磁波の波長の１／２倍より小さい、或いは同じであることを特徴とする請求項１に記載の電磁波シールド材。
【請求項３】
前記金属線網の相対する両側に設置された金属線の直径は、前記金属線網の相対する両側辺のアース線の直径より小さいことを特徴とする請求項１に記載の電磁波シールド材。
【請求項４】
前記金属線網の網穴の形は、円形、菱形、或いは蜂の巣状等であることを特徴とする請求項１に記載の電磁波シールド材。
【請求項５】
前記基材層の一つの側面には接着剤層が設置されていることを特徴とする請求項１に記載の電磁波シールド材。
【発明の詳細な説明】
【技術分野】
【０００１】
本発明は、電磁波シールド材に関するものである。
【背景技術】
【０００２】
従来の電磁波シールド材は、電磁遮蔽性を持つ金属線網をガラスに固定して形成されたものである。しかし、このような電磁波シールド材は、曲げたり、巻いたりすることができない。また、切断することも難しいため、電磁遮蔽を行う際、或いはチップと設備に対して電磁環境両立性試験を行う際、実に不便である。
【発明の概要】
【発明が解決しようとする課題】
【０００３】
以上の問題点に鑑みて、本発明は、使用に便利な電磁波シールド材を提供することを目的とする。
【課題を解決するための手段】
【０００４】
前記目的を達成するために、本発明に係る電磁波シールド材は、柔軟性を持ち、且つ電磁遮蔽性を持つ材料によって成形された基材層と、前記基材層に埋め込まれ、且つ複数の金属線を交差して編んだ網状である金属線網と、を備えることを特徴とする。
【発明の効果】
【０００５】
本発明に係る電磁波シールド材の前記基材層は、柔軟性を持ち、電磁遮蔽性を持つ材料（例えばポリエチレン等）によって成形され、且つ一つの側面に接着剤層が設けられているので、前記電磁波シールド材を使用する際は、必要なサイズに切断した後、電磁遮蔽を行う部分に貼るだけでよい。従って、使用に便利であり、且つ切断し易い。
【図面の簡単な説明】
【０００６】
【図１】本発明に係る電磁波シールド材の断面図である。
【図２】本発明に係る電磁波シールド材を巻いた際の状態を示す図である。
【発明を実施するための形態】
【０００７】
以下、図面に基づいて、本発明に係る電磁波シールド材について詳細に説明する。
【０００８】
図１〜２を参照すると、本発明に係る電磁波シールド材は、基材層２０と、前記基材層２０の一つの側面に設置された接着剤層１０と、前記基材層２０に埋め込まれた金属線網３０と、を備える。前記基材層２０は、柔軟性及び電磁遮蔽性を持つ材料、例えば、ポリエチレン、ポリエステル、ナイロン、ポリビニール等によって成形される。前記金属線網３０は、導電性が良い金属、或いは合金であり、例えば、金、銀、銅、アルミニウム等によって成形され、且つ複数の金属線を交差して編んだ網状である。前記金属線網３０の相対する両側には、アース線３００と接続するための予備の接続口が設けられている（図示せず）。前記電磁波シールド材は、前記接着剤層１０が設けられているので、前記電磁波シールド材を自由に、電磁遮蔽を行う部分に貼って使用することができる。また、前記電磁波シールド材は製造後、巻いて密封することができるので、保存や運送に便利である。本発明の実施形態において、前記金属線網３０の網穴は矩形であるが、他の実施形態において、他の形状、例えば、円形、菱形、蜂の巣状等であっても良い。
【０００９】
電磁遮蔽の原理によると、電磁波に対して電磁遮蔽を行う際、電磁波シールド材の穴径は、前記電磁波の波長の約１／２倍である。本実施形態では、例えば周波数が３０ＧＨｚの電磁波を必要とする際、前記金属線網３０を構成する金属線の直径は約０．１ｍｍであり、何れか平行して隣り合う二つの金属線間の距離は約５ｍｍである。また、何れか平行して隣り合う二つの金属線間の距離は、周波数が３０ＧＨｚの電磁波の波長の１／２倍より小さい、或いは同じである。本実施形態において、前記金属線網３０の相対する両側辺のアース線３００の直径は１ｍｍである。
【００１０】
前記電磁波シールド材を使用する際、先ず前記電磁波シールド材を必要とするサイズに切断し、該切断した前記電磁波シールド材の接着剤層１０を、電磁遮蔽部（図なし）に貼り、前記電磁波シールド材の前記アース線３００を接地する。前記電磁波シールド材の何れか平行して隣接する二つの金属線間の距離は、周波数が３０ＧＨｚの電磁波の波長の１／２倍より小さく、且つ前記金属線網３０の相対する両側辺の前記アース線３００によって接地されるので、前記電磁波シールド材には、高機能の電磁遮蔽が備わる。
【００１１】
前記電磁波シールド材の前記基材層２０は柔軟性を持ち、電磁遮蔽性を持つ材料（例えばポリエチレン等）によって成形され、且つ一つの側面に接着剤層１０が設けられているので、前記電磁波シールド材を使用する際は、必要なサイズに切断した後、電磁遮蔽を行う部分に貼るだけでよい。従って、使用に便利であり、且つ切断し易い。
【００１２】
以上、本発明の好適な実施形態について詳細に説明したが、本発明は前記実施形態に限定されるものではなく、本発明の範囲内で種々の変形又は修正が可能であり、該変形又は修正も又、本発明の特許請求の範囲内に含まれるものであることは、言うまでもない。
【符号の説明】
【００１３】
１０      接着剤層
２０      基材層
３０      金属線網
３００    アース線
【図１】
2013012738.tif 000003
【図２】
2013012738.tif 000004
(57)【要約】【課題】音声入力ワープロにおいて、音声認識エンジンが音声認識困難な単語、文章の入力を可能とする。また、音声のみによる音声ワープロを可能にする。【解決手段】（１）あらかじめ、音声認識が容易な単語、文章と音声認識困難な単語、文章は、対で登録しておく。（２）音声入力者は、音声認識困難な単語、文章のかわりに、よく使用される音声認識が容易な単語、文章を連想文言として発声する。（３）音声認識エンジンは、音声認識が容易な単語、文章のため、認識結果群を返却し、それらが音声認識が容易な単語、文章と一致する確率が高くなる。（４）ひとつでも一致した場合、音声認識困難な単語、文章を表示させ、選択候補とする。これにより、音声認識エンジンでは、認識困難な語彙の入力が可能になる。（５）選択候補のキー（番号など）を音声により、発声し、その認識結果が選択候補のキーと一致した場合、選択確定とする。これにより、音声の発声のみによる音声ワープロが可能となる。【特許請求の範囲】
【請求項１】
あらかじめ、音声認識が容易な単語、文章と音声認識困難な単語、文章は、対で登録しておく。
音声入力者は、音声認識困難な単語、文章のかわりに、よく使用される音声認識が容易な単語、文章を連想文言として発声する。
音声認識エンジンは、音声認識が容易な単語、文章のため、認識結果群を返却し、それらが音声認識が容易な単語、文章と一致する確率が高くなる。
ひとつでも一致した場合、音声認識困難な単語、文章を表示させ、選択候補とする。
【請求項２】
選択候補のキー（番号など）を音声により、発声し、その認識結果が選択候補のキーと一致した場合、選択確定とする。
これにより、音声の発声のみによる音声ワープロが可能となる。
【発明の詳細な説明】
【技術分野】
【０００１】本発明は、音声認識エンジンの後方に配置され、音声認識がしにくい単語、文章を音声認識のしやすい単語、文章（連想候補）に関連付けて登録しておき、音声認識のしやすい単語、文章を発声して音声認識エンジンに認識させ、関連付けられた音声認識がしにくい単語、文章を選択候補として浮かび上がらせその選択を、選択キーを発声させることにより選択させ確定させる方式である。
【背景技術】
【０００２】  米国Ｇｏｏｇｌｅ社は、すでに音声データから、文字データに変換するサービスを公に提供している。
ただし、この文字データは、選択候補の羅列にすぎず、音声から１００％の確率で正しい文字列に変換されるわけではない。正しいとの判断は、あくまでも主観がはいるためであり、正しい可能性のある候補を有限個提示せざるを得ない。
また、認識精度も語彙によりばらつきがあり、使用頻度の低い語彙は、どうしても浮かび上がってこないという問題がある。
また、音声認識エンジンからの候補の選択においても現在は、画面のクリック・タッチによる選択方式となり音声での選択はとられていない。
【先行技術文献】
【発明の概要】
【発明が解決しようとする課題】
【０００４】解決しようとする課題は、音声認識において認識精度も語彙によりばらつきがあり、使用頻度の低い語彙は、どうしても浮かび上がってこない問題である。
また、検索結果の選択も手動選択となり、音声のみでのワープロが実現できていない。
【課題を解決するための手段】
【０００５】本発明は、音声認識がしにくい単語、文章を音声認識のしやすい単語、文章（連想候補）に関連付けて登録しておく。
音声認識のしやすい単語、文章を発声することにより、複数の認識結果が音声認識エンジンの出力として、返却されるが、これらは、音声認識がしやすいため、返却候補は、音声認識のしやすい単語、文章（連想候補）を含んでいる可能性が高い。含まれていた場合、関連付けて登録しておいた音声認識がしにくい単語、文章を選択候補として表示させそれを選択する。
または選択キー（番号など）を発声させその認識結果をもとに選択を確定させる。
以上を最も主要な特徴とする。
【発明の効果】
【０００６】  本発明により、認識性能に限りがある音声認識エンジンを使用して、認識が困難な単語、文章を連想入力により入力可能とできるという利点がある。
また、選択候補の選択を音声にて行うことで、音声のみによる音声入力ワープロが可能となる。
(57)【要約】【課題】  本発明は、専ら所轄官庁等で、証拠車輛の移動停止、不法駐車車輌の移動停止、納税不払い車輛の移動停止等に用いられ社会の安寧化、交通法規を遵守化、納税義務の遵守化等、法治社会を守ってゆくのに、より合理的になされることを目的とし、法治社会をより平和に経過させてゆくことを課題にするものである。【解決手段】  本発明で一種類の器具で多種類のタイヤをロックでき、外から簡単に確実にロックができるようになり、こうなることにより、より不特定多数の人がより簡単に使用できるよになり、法治社会を守るに当たりより少人数で行うことができるようになるのである。【選択図】    図１
2013079028.tif 000002
【特許請求の範囲】
【請求項１】
二点の支持点と二点の左右可動点をもつ構造のタイヤロックであることで想定されているあらゆるサイズのタイヤをロックするが可能となることを特徴としたタイヤロック。
【請求項２】
四つ支点を持つ構造のタイヤロックであるため平行四辺形状態でタイヤをロックできる、外からでも確実にロックが可能となることを特徴としたタイヤロック。
【発明の詳細な説明】
【技術分野】
【０００１】
本発明は所轄官庁（警察）等で決められた規則を無視し駐車している車輛、移動禁止されている保管車輛その他法律を守らない車輛の移動を禁止するため、タイヤをロックする器具である。  
【背景技術】
【０００２】
従来のタイヤロックは車のサイズによって二種類もしくは三種類の器具に分かれており、複数の器具を持ち運ばなければならず不便なものであった。
【０００３】
また従来のタイヤロックはタイヤの中外を確実に保持するためタイヤの真ん前または真ん後にもぐって装着しなければならず、または装置のベルトないしはバーをタイヤの裏まで回して装着しなければならず、装着しづらく、時には汚れを伴うものであった。
【先行技術文献】
【非特許文献】
【０００４】
【非特許文献１】「総合カタログ２０１０  ５月版」(株)キラメック  ｐ.９
【非特許文献２】「警察専用装備品カタログ２００４」(株)金星  ｐ.19
【非特許文献３】「総合カタログ２０１０〜２０１１」(株)ポータ工業  ｐ.31
【発明の概要】
【発明が解決しようとする課題】
【０００５】
本発明は、以上のような従来の欠点に鑑み一種類のタイヤロックで今までその対象としていた車輛を網羅すること。そして外から簡単に装着できるようにすることである。
【課題を解決するための手段】
【０００６】
上記目的を達成するために、本発明では支点を四点設け、下部二点を支持点に、上部二点は伸縮可動点としそのさきにＣ型のつめを持つ構造としたものである。下部二点を中心に上部二点の伸縮可動点を左右に可動させることによりその先のＣ型のつめを開閉させる。まさに梃子原理より小さな伸縮で大きな可動を可能ならしめるものなのである。中程度のタイヤを標準にして下部の支点を決め上部の二つに伸縮可動点で大きいタイヤは広げ小さいタイヤは狭めればよいのである。ついで四つの支点を持つことにより並行四辺形の形状を持つ器具となり、タイヤを中心に斜め前または斜め後ろよりタイヤにロックを掛けることができ、もぐりこむことなくタイヤにロックを掛けることができるようになるのである。
【発明の効果】
【０００７】
以上の説明から明らかなように、本発明にあっては次に列挙する効果が得られる。
（１）  一種類の器具で事足りること。
【０００８】
（２）  外から一番良いポイントにロックをすることができ、汚れることなく確実に早く操作ができるのである。
【０００９】
（３）  (１)(２)によりタイヤをロックする行為を、より確実に、より迅速に、より簡単に、より経済的に、また煩雑さを省みることなく為すことができるようになるのである。
【図面の簡単な説明】
【００１０】
【図１】本件「タイヤロック並行四辺形ロック状態」の図。
【図２】本件「タイヤロック最終間ロック状態」の図。
【図３】本件「タイヤロック最大間ロック状態」の図。
【図４】本件「タイヤロック装着時最大開口状態」の図。
【図５】本件「タイヤロック中間ロック状態」の図。
【発明を実施するための形態】
【００１１】
以下、本発明の実施の形態を図に基づいて説明する。
【実施例１】
【００１２】
図１は本発明の実施例１の斜め中間（標準的なタイヤサイズを表す）ロック状態の図である。６C型ツメの先端の破線はこのタイヤロックがタイヤの内外の同一ポイントをロックしようとしていることが分かる。つまり同一ポイントの裏と表であり一番確実なロックポイントなのである。タイヤはＣ型ツメの中に納まり２下部支持バーもしくは４伸縮バーはタイヤの三分の一以上の外側に位置し、また斜線部の５鍵はタイヤのほぼ外側に位置し、この構造によりタイヤのロックがたやすく合理的になされるようになるのである。
【実施例２】
【００１３】
図２〜図５はタイヤのサイズに関係なく使用可能であることを表している。標準的なタイヤに対し図５中間ロック状態、小さいタイヤに対し図２最少間ロック状態、大きいタイヤに対し図３最大間ロック状態となる。図２の最少間ロック状態のC型ツメの先端開口A-Bは１０センチでバイクのタイヤのロックも可能となるのである。また図３の最大間ロック状態のＣ型ツメのタイヤ装着部のツメの内側の幅は３１センチを有し相当大きなタイヤまでロックをすることができるのである。図４は大きなタイヤをロックするためにそのサイズまでA-B間が開くことを表している。その開口寸法３３センチである。まさにマルチサイズタイヤロックなのである。
【産業上の利用可能性】
【００１４】
所轄官庁等で証拠車輛の移動停止、不法駐車車輛の移動停止、納税不払い車輛の移動停止などに用いられる。
【符号の説明】
【００１５】
１  下部支持点
２  下部支持バー
３  上部伸縮可動点
４  伸縮バー
５  鍵
６  Ｃ型ツメ
７  傷防止ゴム
【図１】
2013079028.tif 000003
【図２】
2013079028.tif 000004
【図３】
2013079028.tif 000005
【図４】
2013079028.tif 000006
【図５】
2013079028.tif 000007
(57)【要約】【課題】  雨天時、車に乗ってすぐ傘を置きたいが、従来の傘入れ袋などでは出し入れしにくく助手席の横などに置くが、助手席の人や足元が濡れてしまうことがよくある。  本発明は、車内に濡れた傘をすばやく出し入れでき、車内が濡れることを防ぐ傘入れを提供する。【解決手段】  収納ケースの中にプラスチック製の上部が広がった特大、大、中、小の筒が入っており、これを連ねたものが車内用傘入れになる。それを車内の設置したい箇所にマジックテープで取り付け傘を出し入れする。車内が濡れるのを避けるため、傘入れの下に傘入れの収納ケースを受け皿として設置することも出来る。不用時は重ねて収納ケースに入れ、車内のボックスなどに保管も出来る便利なサッと傘入れ。【選択図】図２
2013079045.tif 000002
【特許請求の範囲】
【請求項１】
収納ケースの中のプラスチック製の上部が広がった４サイズの筒を連ね、車内用傘入れとし、それをマジックテープで車内の設置したい箇所に設け、傘入れの真下の床に雨水の受け皿としての収納ケースをマジックテープで設置すると、雨の日に車内を濡らさず傘を収納できるサッと傘入れ。
【発明の詳細な説明】
【技術分野】
【０００１】  本発明は、雨天時に人も車内も濡らさず、すぐ傘を出し入れすることのできるサッと傘入れに関するものである。
【背景技術】
【０００２】  従来、濡れている傘は傘入れ袋に入れたり、ドアの内側に傘入れを取り付けたりしていた。
【先行技術文献】
【０００３】
【特許文献１】  特開２００８−１３３３号公報
【発明の概要】
【発明が解決しようとする課題】
【０００４】  雨天時に車に乗りすぐ傘を置きたいが、従来の傘入れなどでは出し入れしにくく、助手席の足元などに置くが、助手席の人や足元が濡れてしまう。
本発明は、以上の問題点を解決するものである。
【課題を解決するための手段】
【０００５】  収納ケースの中にプラスチック製のドリンクカップの様な上部が広がった特大、大、中、小の筒が入っており、これを連ねたものが車内用傘入れになる。それを車内の設置したい筒所にマジックテープで取り付け傘を入れる。車内が濡れるのを避けるため、傘入れの下に傘入れの収納ケースを受け皿として設置することができ、使わないときは重ねて収納ケースに入れ車内のボックスなどに保管も出来る。
以上の構成によりなるサッと傘入れ。
【発明の効果】
【０００６】  従来車には濡れた傘を置く専用の場所がなく、不快な思いをした。本発明により濡れた傘を簡単に出し入れでき、雨天でも車内で快適に過ごすことが出来る。
【図面の簡単な説明】
【０００７】
【図１】本発明の斜視図
【図２】本発明の設置図
【図３】本発明の分解図
【発明を実施するための形態】
【０００８】  以下、本発明の実施の形態を説明する。
（イ）プラスチック製のドリンクカップの様な上部が広がった特大（２）、大（３）、中（４）、小（５）の筒を連ねると傘入れ（１）になる。
（ロ）特大の筒（２）の側面と収納ケース（８）の底を車内の設置したい箇所にマジックテープ（６）と（９）で設置する。
本発明は、以上のような構造である。
本発明を使用するときは、収納ケース（８）からプラスチック製のドリンクカップの様な上部が広がった特大（２）、大（３）、中（４）、小（５）の筒を取り出し連ねると傘入れ（１）になる。車内に傘入れを設置したい箇所との特大の筒（２）の側面にマジックテープ（６）を貼り、それを貼り合わせて傘入れ（１）を取り付ける。
雨水で車内が濡れるのを防ぐために、設置した傘入れ（１）の真下に、雨水の受け皿として、収納ケース（８）を置き、収納ケース（８）の底のマジックテープ（９）で床に固定する。収納ケース（８）に溜まった雨水はすぐ捨てることができる。
傘入れの不用時は、特大の筒（２）から小の筒（５）まで順に重ね合わせ、収納ケース（８）の中に収める。サッと傘入れは、車内のボックスにも入り常備することが出来る傘入れである。
【符号の説明】
【０００９】  １傘入れ、２上部が広がった特大の筒、３上部が広がった大の筒、４上部が広がった中の筒、５上部が広がった小の筒、６マジックテープ、７収納ケースのフタ、８収納ケース、９マジックテープ
【図１】
2013079045.tif 000003
【図２】
2013079045.tif 000004
【図３】
2013079045.tif 000005
(57)【要約】【課題】  挿入方向を気にすることなく、足先で容易に扱えるドアを開いた状態で維持できる補助具を提供する。【解決手段】  ドアストッパー本体（１）を円錐形とし、設置面とのすわりをよくするための空洞部（２）を本体（１）の下面に設け、また、移動用とって（３）を、本体（１）の上部に設け、挿入方向を気にすることなく使用できることを特徴とするドアストッパー。【選択図】図１
2013079561.tif 000002
【特許請求の範囲】
【請求項１】
ドアストッパー本体（１）を円錐形とし、本体裏面には設置面とのすわりをよくするための空洞部（２）を設け、また、上部には移動用の、とって穴（３）を有し、方向を気にせずあらゆる向きでもドア下部の隙間に挿入でき、誤って踏んでも危険のないように構成したことを特徴とする円錐形ドアストッパー。
【発明の詳細な説明】
【技術分野】
【０００１】  本発明は、ドアを開いた状態で維持するための補助具に関するものである。
【背景技術】
【０００２】  従来、ドアストッパーは三角形をした楔形のものを、ドア下部と床面との隙間に挿入していた。
【先行技術文献】
【０００３】
【特許文献１】特開２０１０−１２７０６８号公報
【特許文献２】特開２００８−２６７０９４号公報
【特許文献３】特開２００８−１１５５７３号公報
【発明の概要】
【発明が解決しようとする課題】
【０００４】そのために、次のような問題点があった。
従来、三角形ドアストッパーは挿入方向が一定しているため、いちいち向きを定める必要があった。また、倒れやすくその都度腰をかがめて修正する必要があった。また、誤って踏んづけたりすると足をくじいたり、遠くへ転がったりすることがあった。
本発明は、これらの問題点を解決するためになされたものである。
【課題を解決するための手段】
【０００５】  上記問題を解決するために、ドアストッパー本体（１）を円錐形し、本体裏面に設置面とのすわりをよくするための空洞部（２）を設け、踏みつけても安全なように凹形の、とって（３）を有したドアを開いた状態で維持できる円錐形ドアストッパーを提供する。
【発明の効果】
【０００６】  ドアの下部の隙間に本発明のドアストッパーを、向きを気にすることなく挿入でき、腰をかがめて修正する必要も無くなる。また、誤って蹴飛ばしても足をくじく心配もなくなり、本体が転がり・倒れることも少なくなる。
【図面の簡単な説明】
【０００７】
【図１】本発明のドアストッパーの斜視図
【図２】本発明の断面図（Ａ−Ａ断面）
【発明を実施するための形態】
【０００８】  以下、本発明の実施形態について説明する。
（イ）ドアストッパー本体（１）を円錐形とする。
（ロ）ドアストッパー本体（１）の底面にすわりをよくするための空洞部（２）を設ける。
（ハ）ドアストッパー本体（１）の上部に移動用の、とって（３）を設ける。
本発明は以上のような構成でこれを使用する場合の手順について説明する。
（イ）ドアを手で押し開いた状態で、足先で本発明のドアストッパー本体（１）を挿入し、固定する。
（ロ）外すときは、足先でドアストッパー本体（１）を他方へ移動する。
（ハ）移動するときは、とって穴（３）に指先を入れ、移動する。
【符号の説明】
【０００９】  １  ドアストッパー本体
２  空洞部
３  とって
【図１】
2013079561.tif 000003
【図２】
2013079561.tif 000004
(57)【要約】【課題】  人が存在している場所のすぐ近くに設置され、津波襲来までの楽に短時間で避難することが可能な津波避難施設が求められている。  また、紛失や水没をしてはいけない重要物の保存や、コンピューター設備などを護る必要もある。【解決手段】  機密性を保つ空間と閉じた時に浸水を防ぐことが可能な出入口を有し、船首形状を両端に持つ逆さ船型建造物を、人々が津波襲来時に素早く建造物内に避難する為に、住居、学校、事業所、商業施設などの近くに設置する。  また、紛失や水没をしてはいけない重要物の保存場所、防災倉庫やコンピューター設備などの設置施設として利用する為に、この建造物を設置する。【選択図】図１
2013079560.tif 000002
【特許請求の範囲】
【請求項１】
地中から地上にかけて設置した基礎と、この基礎に固定された船首形状を両端に持つ逆さ船型をした建築物で、それぞれの船首形状を、津波の押し波と引き波の襲来方向に向け地上に設置され、津波襲来時に水圧に耐え機密性を保つ空間と閉じた時に浸水を防ぐことが可能な出入口を有したことを特徴とする津波シェルター。
【請求項２】
逆さ船型を平底船型の構造とした事を特徴とする請求項１に記載の津波シェルター。
【請求項３】
鉄筋コンクリート造りの構造とした事を特徴とする請求項１に記載の津波シェルター。
【請求項４】
逆さ船型構造の中央部にカルバート配置し、その両端にそれぞれ船首形状を足し一体構造とした事を特徴とする請求項１に記載の津波シェルター。
【請求項５】
逆さ船型が金属製である事を特徴とする請求項１に記載の津波シェルター。
【請求項６】
基礎部分と逆さ船型の間に、ガレージを配置したことを特徴とする請求項１に記載の津波シェルター。
【請求項７】
基礎部分と逆さ船型を一体としたことを特徴とする請求項１に記載の津波シェルター。
【発明の詳細な説明】
【技術分野】
【０００１】  本発明は、住居、学校、事業所、商業施設などの近くに設置し、津波襲来時に素早く容易に避難することができ、人の生存を可能にする津波シェルターに関するものである。
また、本発明は、紛失や水没をしてはいけない重要物の保存場所、防災倉庫やコンピューター設備等を、津波から護る津波シェルターに関するものでもある。
【背景技術】
【０００２】  ２０１１年３月１１日の東日本大震災の映像を見て、大津波の驚異的な破壊力を改めて認識した。ほとんどの建造物は巨大な津波に対して無力なことが証明された。水の力だけでなく、壊れて流される家、車、船など漂流物が加わることで、津波の破壊力を壊滅的に強められたことが見受けられた。東日本大震災の津波では高さが３０メートル超えた例もあり、避難する高さを考慮し、安心できる高さの津波避難ビルを建設すると、莫大な費用がかかる。
津波襲来時に浮遊する津波シェルター装置も考案されている。（例えば、特許文献１参照）津波襲来時に、球形の津波シェルター装置がシェルター設置台との間に連結索で連結された状態で、海面に浮上することで、津波の被害から人を守るよう考案されている。東日本大震災の津波では、破壊された家屋や車、船などの漂流物が構造物を直撃し破壊する様子が多く見られた。その点を考慮すると、漂流物がシェルター本体や連結索に引っ掛かり、津波シェルターの沈み込みや連結索の切断による漂流も考えられる。
津波避難タワーが実施されているが、津波の高さがタワーより高い場合は対応できない。（例えば、非特許文献１参照）
人だけでなく、紛失や水没をしてはいけない重要物の保存場所としてやコンピューター設備等を津波から護る津波シェルターも必要である。
【先行技術文献】
【特許文献】
【０００３】
【特許文献１】特開２００８−７４３８５号公報
【非特許文献】
【０００４】
【非特許文献１】フジワラ産業株式会社「津波避難タワー」  参照：インターネットホームページ  アドレス：ｈｔｔｐ：／／ｗｗｗ．ｆｊ−ｉ．ｃｏ．ｊｐ／ｏｌｄ／ｂｏｕｓａｉ＿１．ｈｔｍｌ
【発明の概要】
【発明が解決しようとする課題】
【０００５】  津波襲来までの時間が短い場合は、安全な高台などへの避難が難しい。特に高齢者や障害者など弱者はより難しい。また海岸近くで就労している水産業などの人達も避難が難しい。その為、津波の破壊力をかわすことが可能で、数分で緊急避難できる津波シェルターが求められている。
また、紛失や水没をしてはいけない重要物の保存場所、防災倉庫、コンピューター設備等を津波から護る津波シェルターが求められている。
津波の高さも考慮しなくて良く、構造も簡単で、安価に設置できる津波シェルターがあれば普及が進む。
【課題を解決すための手段】
【０００６】  地中から地上にかけて設置した基礎と、この基礎に固定された船首形状を両端に持つ逆さ船型をした建築物で、水圧に耐え機密性を保つ空間と閉じた時に浸水を防ぐことが可能な出入口を有す津波シェルターを、それぞれの船首形状を津波の押し波と引き波の進行方向に向けて、波の流れをかわすように設置する。
【発明の効果】
【０００７】  本発明は、住居、学校、事業所、商業施設などの近くに設置し、津波襲来時に素早く容易に避難することができ、津波の危険をさけることで人の生存を可能にする。本発明の津波シェルターは、数分以内に歩いて避難することを可能にするものである。
また、本発明は紛失や水没をしてはいけない重要物の保存場所としてやコンピューター設備等の津波シェルターになる。
地中から地上にかけて設置した基礎の上に固定された本発明の津波シェルターは、岩に張り付いたアワビのごとく、津波の流れをかわし、水の行き過ぎるのを待つことが可能である。津波の高さも考慮しなくて良く、構造も簡単で、安価に設置できる。
【図面の簡単な説明】
【０００８】
【図１】本発明の逆さ船型の側面図である。
【図２】本発明の平底船構造の逆さ船型の斜視図である。
【発明を実施するための形態】
【０００９】  以下、本発明の実施の形態について説明する。
【００１０】地上に設置した基礎１上に、避難用出入口３を設けた逆さ船型津波シェルター本体２を設置する。
【符号の説明】
【００１１】    １  地中から地上にかけて設置された基礎
２  津波シェルター本体
３  避難用出入口
【図１】
2013079560.tif 000003
【図２】
2013079560.tif 000004
【手続補正書】
【提出日】平成23年11月22日(2011.11.22)
【手続補正１】
【補正対象書類名】特許請求の範囲
【補正対象項目名】請求項４
【補正方法】変更
【補正の内容】
【請求項４】
逆さ船型構造の中央部にカルバートを配置し、その両端にそれぞれ船首形状を足し一体構造とした事を特徴とする請求項１に記載の津波シェルター。
(57)【要約】【課題】  地下より蒸気、熱水及び水を汲上げる井戸管の汲上げ量は年々減少していく、本発明はこれを効率よく洗浄することにより長年月稼働しうる井戸を得ようとするものである。【解決手段】  多数の線状の流入用隙間３を設けた管２を数本結束して集合型井戸管１を形成して汲上げ作業を行うと共に、その中の一本の管２−１に圧力水を送込んで、この管の流入用隙間３及びその周辺の砂利層４の隙間を急速に通過させることにより、そこに付着した堆積物を押流して両隣りの管２−２、２−３の流入用隙間３を通じて、その管内に送込みこれを地上に押返し、この洗浄作業を他の管にも行って、全管即ち集合管の流量を復活する。【選択図】図２
2013079559.tif 000002
【特許請求の範囲】
【請求項１】
蒸気、熱水及び水等を地中より汲上げる井戸管の構造に於いて、その管体にそれらを汲上げるための多数の線状の流入用隙間３を設けた管２−１、２−２、２−３等を数本結束して、集合型井戸管１を形成して汲上げ作業を行うと共に、長期間使用による流量減少に対応するため、その中の一本の管２−１に圧力水を送込んで、この管の流入用隙間３及びその周辺の砂利層４の隙間を汲上用時の流れと逆方向に急速に通過させることにより、流入用隙間３及び砂利４の表面に付着した堆積物を押流して、両隣の管２−２及び２−３の流入用隙間３を通じてその管内に送込み、その一部を地上に押し返し、又一部を両隣の管２−２及び２−３の底に堆積させ、この洗浄作業を残りの他の管２−２及び２−３等にも順次行って全管即ち、集合型井戸管１の流量を復活することを特徴とする集合型井戸管の構造。
【請求項２】
集合型井戸管の外部に数本の長尺の橇６を取付けて掘削された井戸孔に吊り下すとき、その井戸壁５に沿って井戸孔の中央に降下させることにより周辺の砂利層４が均一に配置されるようにすることを特徴とする請求項１に記載の集合型井戸管の構造。
【発明の詳細な説明】
【技術分野】
【０００１】  本発明は管内面に異物が附着しやすい蒸気、熱水及び水を取出す井戸の分野。
【背景技術】
【０００２】  長期にわたり井戸管より蒸気、熱水、及び水を地中より汲上げる井戸管の管体の線状の流入用隙間及び周辺の砂利の表面には付着物が堆積して汲上げ量が減少していくが、この現象は地熱発電用井戸に於いて著しく長年月の稼働が懸念される状態である。
【発明の開示】
【発明が解決しようとする課題】
【０００３】  地下より蒸気、熱水、及び水を汲上げるとき井戸管の汲上げ量は年々減少していく、特に蒸気及び熱水用井戸は硫黄、砒素等の化合物、酸化物が流入用隙間及び周辺の砂利の表面に堆積して著しく井戸の寿命を短縮する、本発明はこれを洗浄することにより長年月稼働しうる井戸を得ようとするものである。
【課題を解決するための手段】
【０００４】  本発明は蒸気、熱水、及び水等を地中より汲上げる井戸管の構造に於いて、その管体にそれらを汲上げるための多数の線状の流入用隙間３を設けた管２−１、２−２、２−３等を数本結束して集合型井戸管１を形成して汲上げ作業を行うと共に、長期間使用による流量減少に対応するため、その中の一本の管２−１に圧力水を送込んでこの管の流入用隙間３及び周辺の砂利層４の隙間を、汲上用時の流れと逆方向に急速に通過させることにより、流入用隙間３及び砂利４の表面に付着した堆積物を押流して、両隣の管２−２及び２−３の流入用隙間３を通じて、その管内に送込み、その一部は地上に押返し、又一部は両隣の管２−２及び２−３の底に堆積させ、この洗浄作業を残りの管２−２及び２−３等にも順次行って全管、即ち集合型井戸管１の流量を復活するようにした集合型井戸管の構造である。
【発明の効果】
【０００５】  本発明の集合型井戸管を使用し、井戸よりの汲上げを行うと共に定期的に洗浄作業を行うことによって、大幅に井戸の寿命を延ばすことが可能になる。
【図面の簡単な説明】
【０００６】
【図１】本発明の実施形態の一例として、二本の管を結束した、集合型井戸管の側面図
【図２】図１のＡ−Ａ断面図
【図３】本発明の実施形態の一例として、案内用の橇を取付けた集合型井戸管の側面図
【図４】図３のＢ−Ｂ断面図
【図５】従来の井戸管の側面図
【図６】図５のＣ−Ｃ断面図
【発明を実施するための形態】
【０００７】  本発明は熱水及び水等を地中より汲上げる井戸管の構造に於いて、その管体にそれらを汲上げるための多数の線状の流入用隙間３を設けた管２−１、２−２、２−３等を数本結束して集合型井戸管１を形成する。
図１及び図２は３本の管２−１、２−２及び２−３を熔接等により結合して集合型井戸管１を形成したものであって、各この管には９本の線状の流入用隙間３を設けているので３本で２７本の流入用隙間を持つことになる、一方その外形と同寸法の直径の井戸管８を図５及び図６に示すが、この管の流入用隙間は同様の間隔をあけて設けた場合は２４本であるので、
2013079559.tif 000003
間に満たされる砂利４の量は集合型井戸管１の場合は、隣り合った管の間の三角形の空間が追加されるため、より多くの砂利４を収納することが可能である、従ってより多量の蒸気、熱水、及び水を汲上げることが可能になる。
【０００８】  長期間使用による流量減少に対応するため、その中の一本の管２−１に圧力水を送込んで、この管の流入用隙間３及びその周辺の砂利層４の隙間を汲上げ用時に流れと逆方向に急速に通過させることにより、流入用隙間３及び砂利４の表面に付着した鉄、珪素、硫黄、及び砒素等を含む堆積物を剥離して、図２の矢印の方向に押流して両隣の管２−２及び２−３の流入用隙間３を通じて、その管内に送込み、その一部は地上に押返し、又一部は両隣の管２−２及び２−３の底に堆積させ、この洗浄作業を残りの他の管２−２及び２−３等にも順次行って全管、即ち集合型井戸管の流量を復活することが可能になる。
【０００９】  集合型井戸管１の外部に数本の長尺橇６を腕７で取付けて掘削された井戸孔に吊り下すとき、その井戸壁５に沿って、井戸孔の中央に降下させることにより、周辺の砂利層４が均一に配置されるようにする、このことは井戸管より汲上げの能力を高めるために必要な条件である。
【符号の説明】
【００１０】１・・・集合型井戸管
２−１・・管
２−２・・管
２−３・・管
３・・・流入用隙間
４・・・砂利
５・・・井戸壁
６・・・橇
７・・・橇の取付用腕
８・・・従来の井戸管
【図１】
2013079559.tif 000004
【図２】
2013079559.tif 000005
【図３】
2013079559.tif 000006
【図４】
2013079559.tif 000007
【図５】
2013079559.tif 000008
【図６】
2013079559.tif 000009
(57)【要約】      （修正有）【課題】ＡＯＤ、ＭＲＰ、ＡＯＤ-Ｌ、ＭＲＰ-Ｌ、ＣＬＵ、ＡＳＭ、Ｃｏｎａｒｃ−ステンレス鋼等の転炉プロセスまたはＶＯＤ、ＳＳ-ＶＯＤ、ＲＨ、上吹ＲＨ等の真空プロセスからの酸化クロム含有スラグから金属クロムを回収するための方法を提供する。【解決手段】転炉または真空設備内での吹込み過程または処理過程の最後に発生するスラグが還元されることなく排滓されまたは除滓され、このスラグが電気炉に装入され、この電気炉にさらに屑鉄および場合によっては残留粉塵からなる通常の装入材料が装入され、付加的に炭素および場合によってはケイ素が添加され、溶解時に、添加されたスラグ中に含まれた酸化クロムが炭素とケイ素とによって金属クロムへと直接に還元される。【選択図】図１
2013079449.tif 000002
【特許請求の範囲】
【請求項１】
ＡＯＤ、ＭＲＰ、ＡＯＤ-Ｌ、ＭＲＰ-Ｌ、ＣＬＵ、ＡＳＭ、Ｃｏｎａｒｃ−ステンレス鋼等の転炉プロセスからの酸化クロム含有スラグまたはＶＯＤ、ＳＳ-ＶＯＤ、ＲＨ、上吹ＲＨ等の真空プロセスからの酸化クロム含有スラグから金属クロムを回収するための方法において、転炉または真空設備内での吹込み過程または処理過程の最後に発生するスラグが還元されることなく排滓されまたは除滓され、このスラグが電気炉に装入され、この電気炉にさらに屑鉄および場合によっては残留粉塵からなる通常の装入材料が装入され、付加的に炭素および場合によってはケイ素が添加され、溶解時に、添加されたスラグ中に含まれた酸化クロムが炭素とケイ素とによって金属クロムへと直接に還元されることを特徴とする方法。
【発明の詳細な説明】
【技術分野】
【０００１】
本発明は、酸化クロム含有スラグから金属クロムを回収するための方法に関する。
【０００２】
ＡＯＤ、ＭＲＰ、ＡＯＤ-Ｌ、ＭＲＰ-Ｌ、ＣＬＵ、ＡＳＭ、Ｃｏｎａｒｃ−ステンレス鋼等の通常の転炉プロセスまたはＶＯＤ、ＳＳ-ＶＯＤ、ＲＨ、上吹ＲＨ（RH mit Lanze）等の真空プロセスでは、多物質系内で脱炭の基本的反応が実施され、炭素による酸化クロムの還元が根本的メカニズムをなしている。
【０００３】
特殊鋼中に高濃度で現れるクロムの一次酸化後、溶鋼中に溶存する炭素によってクロムは気泡表面上およびいわゆる火炎スポット内で還元される。還元生成物である金属クロムは溶鋼内に帰還され、一酸化炭素は気泡中に拡散後に溶鋼より上でガス雰囲気中に排出される。
【０００４】
反応の化学的経過は次のとおりである：
｛Ｏ２｝＝２［Ｏ］            解離（１）
［Ｃ］＋［Ｏ］＝｛ＣＯ｝      直接的脱炭（２）
２［Ｃｒ］＋３［Ｏ］＝（Ｃｒ２Ｏ３）      クロム酸化（３）
【０００５】
反応は下記熱力学的平衡：
【数１】
2013079449.tif 000003
のもとで経過し、その際、
【数２】
2013079449.tif 000004
であり、ここにｐはパラメータである。
【０００６】
脱炭中のクロム還元が不完全なため、酸化クロムの部分量はさまざまなスピネルの態様でスラグ中に達する。還元効果は脱炭の進展に伴って、還元元素炭素の含有量が時間とともに減少するので、徐々に弱まる。このプロセスの経済性は、こうして結合されたクロムを回収することに依拠する。このため通常は脱炭および酸素吹込み過程の最後にＦｅＳｉの態様の高精錬（hochaffinem）ケイ素でスラグの還元が実施される。
【０００７】
本発明の課題は、このために一層簡単な、従って一層経済的な方法を提案することである。
【０００８】
この課題は、転炉または真空設備内での吹込み過程または処理過程の最後に発生するスラグが還元されることなく排滓されまたは除滓され、このスラグが電気炉に装入され、この電気炉にさらに屑鉄および場合によっては残留粉塵からなる通常の装入材料が装入され、付加的に炭素および場合によってはケイ素が添加され、溶解時に、添加されたスラグ中に含まれた酸化クロムが炭素とケイ素とによって金属クロムへと直接に還元されることによって解決される。
【０００９】
従来のスラグ還元処理工程は行われない。例えば酸素吹込み過程後に存在する高酸化クロム−及びマンガン−酸化鉄飽和スラグは還元されることなく金属から除去され、すなわち排滓され、もしくは取鍋から除滓され、前段に設けられた電気炉に装入される。炭素を添加し、電気炉内に通常装入される屑鉄からのケイ素を用い、場合によっては残留粉塵を用い、スラグが直接に還元される。こうして、後段に設けられる設備の１つにおいてではなく電気炉内で酸化クロムが還元され、こうして金属クロムが回収される。
【００１０】
還元反応は下記式に従って経過する：
２（Ｃｒ２Ｏ３）＋３［Ｓｉ］＝４［Ｃｒ］＋３（ＳｉＯ２）    （６）
【００１１】
電気炉内で雰囲気条件下に炭素および特定量のケイ素で酸化クロムの直接的還元が行われ、この反応は以下の如くに経過する：
（Ｃｒ２Ｏ３）＋３［Ｃ］＝２［Ｃｒ］＋３｛ＣＯ｝    （７）
もしくはケイ素を用いて
２（Ｃｒ２Ｏ３）＋３［Ｓｉ］＝４［Ｃｒ］＋３（ＳｉＯ２）    （８）
【００１２】
電気炉内へのスラグ帰還流は各処理の直後に、しかしさまざまな処理の累積量としても、行うことができる。
【００１３】
技術総体に依存してこの過程は費用およびエネルギー上最適に具体化することができる。この方法にとって、スラグが固体状態、液体状態または中間状態のいずれにあるかは些細なことである。これは電気炉内での溶解時間に影響するだけである。
【００１４】
全体としてこの処理方式によって以下の経済的、技術的利点が得られる：
溶鋼の総処理時間が技術の種類に応じて１５〜２０分まで短縮される。
ＦｅＳｉ消費量が削減される。
スラグ形成剤の消費量が削減される。
高い金属精錬。
ＦＦ材料の寿命延長。
ノズル、シンクの寿命が延長する。
転炉もしくは真空設備のエネルギー収支が向上する。
金属の純度が向上する。
転炉、取鍋のスラグ保護域が廃止されもしくは著しく低減する。
【００１５】
図に示した方法図式に基づいてこの経過がいま１度明らかになる。
【図面の簡単な説明】
【００１６】
【図１】３段法の経過を示す。
【図２】２段解決策を示す。
【図３】２段解決策を示す。
【図１】
2013079449.tif 000005
【図２】
2013079449.tif 000006
【図３】
2013079449.tif 000007
(57)【要約】【課題】  陰茎・陰嚢・大腿が蒸れて不快であったので改善したい。【解決手段】  ブリーフ本体１に接続している筒状の陰茎・陰嚢収納部７の内部に筒状の陰茎収納部９を設けて、陰茎と陰嚢の間を仕切った。陰嚢と大腿の間は筒状の陰茎・陰嚢収納部７で仕切ったことで陰茎・陰嚢・大腿にソフトに接するようになり、陰茎・陰嚢・大腿が蒸れにくくなった。【選択図】図１
2013079477.tif 000002
【特許請求の範囲】
【請求項１】
ブリーフ本体に接続している筒状の陰茎・陰嚢収納部の内部前方に、筒状の陰茎収納部を設けたことに因り、筒状の陰茎収納部が陰茎と陰嚢の間を仕切った。筒状の陰茎・陰嚢収納部が陰嚢と大腿の間を仕切ったことに因り、陰茎・陰嚢・大腿が仕切られ、陰茎・陰嚢・大腿が、蒸れにくくなったことを特徴とする改良ブリーフ。
【請求項２】
筒状の陰茎収納部と筒状の陰茎・陰嚢収納部は編み上げた帯状の芯材を、薄く編み上げた布で覆ったことに因り陰茎と陰嚢と大腿が接触するところに、縫い合せ等による凸凹を無くして、陰茎・陰嚢・大腿にソフトに接触するようにしたことを特徴とする請求項１記載の改良ブリーフ。
【発明の詳細な説明】
【技術分野】
【０００１】  本発明は筒状の陰茎収納部を筒状の陰茎・陰嚢収納部の内部に設けたブリーフに関する。
【背景技術】
【０００２】  従来のアンダーパンツは陰茎・陰嚢・大腿が蒸れた。
【発明の概要】
【発明が解決しようとする課題】
【０００３】  陰茎・陰嚢・大腿が蒸れて不快であったので改善したい。
【課題を解決するための手段】
【０００４】  ブリーフ本体に接続している筒状の陰茎・陰嚢収納部の内部前方に筒状の陰茎収納部を設けて、陰茎と陰嚢の間を仕切った。陰嚢と大腿の間は陰茎・陰嚢収納部が仕切った。
【発明の効果】
【０００５】  筒状の陰茎収納部が陰茎と陰嚢の間を仕切り、陰嚢と大腿の間を陰茎・陰嚢収納部が仕切ったことで陰茎・陰嚢・大腿が蒸れにくくなり、接触もソフトになった。
【図面の簡単な説明】
【０００６】
【図１】  本発明の改良ブリーフを下側から見た全体を示す斜視図。
【図２】  本発明の改良ブリーフの陰茎・陰嚢収納部と陰茎収納部の拡大図、横上側方から見た斜視図。
【発明を実施するための形態】
【０００７】  筒状の陰茎収納部９と筒状の陰茎・陰嚢収納部７は放湿性の大きいナイロンを用いて、ストッキング製作の技術を応用して製作した。伸縮性のある帯状の芯材を製作して、その芯材を薄く筒状に編み上げた布で覆って、布の端と端を縫い合せて筒状の陰茎収納部９と筒状の陰茎・陰嚢収納部７を製作した。薄く編み上げた布が編み上げた伸縮性のある芯材を覆って、陰茎・陰嚢・大腿にソフトに接触して蒸れにくくなった。
【０００８】  ブリーフ本体１はナイロンと綿の混紡にニット布地を陰茎・陰嚢に当る部分をカットした、ショーツに似た形状に裁断した。ウェスト開口部２と大腿開口部３にナイロンとポリウレタン（少量）で編み上げたテープを加えて縫製した。ブリーフ本体１の前陰部４の下端と後臀部５の下端に筒状の陰茎・陰嚢収納部上端６を接合して縫製した。筒状の陰茎・陰嚢収納部７が陰嚢と大腿部との間を仕切ったことにより、陰嚢と大腿との直接接触または直接擦れ合いを防止した。筒状の陰茎収納部９は陰茎と陰嚢の間を仕切ったことにより、陰茎と陰嚢との直接接触を防止した。さらに陰嚢周辺の蒸れを放散して履き心地が良い。このようにして健康に良い改良ブリーフを製作した。
【符号の説明】
【０００９】  １  ブリーフ本体
２  ウェスト開口部
３  大腿開口部
４  前陰部
５  後臀部
６  筒状の陰茎・陰嚢収納部上端
７  筒状の陰茎・陰嚢収納部
８  陰茎・陰嚢開口部
９  陰茎収納部
【図１】
2013079477.tif 000003
【図２】
2013079477.tif 000004
【手続補正書】
【提出日】平成24年12月25日(2012.12.25)
【手続補正１】
【補正対象書類名】特許請求の範囲
【補正対象項目名】請求項１
【補正方法】変更
【補正の内容】
【請求項１】
ブリーフ本体に接続している筒状の陰茎・陰嚢収納部の内部前方に、ほぼ筒状の陰茎収納部を設けたことに因り、筒状の陰茎収納部が陰茎と陰嚢の間を仕切った。筒状の陰茎・陰嚢収納部が陰嚢と大腿の間を仕切ったことに因り、陰茎・陰嚢・大腿が仕切られ、陰茎・陰嚢・大腿が、蒸れにくくなったことを特徴とする改良ブリーフ。